【手続補正書】
【提出日】平成25年7月23日(2013.7.23)
【手続補正１】
【補正対象書類名】明細書
【補正対象項目名】０００９
【補正方法】変更
【補正の内容】
【０００９】
請求項１記載の発明は、画像データを記憶する記憶部と、画像を表示する表示部と、上記記憶部に記憶した画像データに基づいて上記表示部に画像を表示させる表示駆動部と、所定範囲内に存在する外部機器と通信接続する接続部と、上記接続部により通信接続している上記外部機器の動作情報を取得し、ユーザが上記表示部を閲覧していないと判断される動作状況である場合に、上記表示駆動部及び表示部による画像の表示動作を制限する制限制御部とを具備したことを特徴とする。
請求項２記載の発明は、上記請求項１記載の発明において、上記制限制御部は、上記接続部により通信接続している室内照明が点灯していないと判断される動作状況である場合に、上記表示駆動部及び表示部による画像の表示動作を制限することを特徴とする。
請求項３記載の発明は、上記請求項１記載の発明において、上記制限制御部は、上記接続部により通信接続している表示デバイスが画像を表示していないと判断される動作状況である場合に、上記表示駆動部及び表示部による画像の表示動作を制限することを特徴とする。
【手続補正２】
【補正対象書類名】明細書
【補正対象項目名】００１０
【補正方法】変更
【補正の内容】
【００１０】
請求項４記載の発明は、上記請求項１記載の発明において、上記制限制御部は、外部機器の動作情報に応じて上記表示駆動部及び表示部による画像の表示動作を停止させることを特徴とする。
【手続補正３】
【補正対象書類名】明細書
【補正対象項目名】００１１
【補正方法】変更
【補正の内容】
【００１１】
請求項５記載の発明は、上記請求項１記載の発明において、上記表示部は、液晶表示パネルと、当該液晶表示パネルの背面側から白色光を照射するバックライトとを備え、上記制限制御部は、外部機器の動作情報に応じて上記表示部のバックライトを消灯させることを特徴とする。
【手続補正４】
【補正対象書類名】明細書
【補正対象項目名】００１２
【補正方法】変更
【補正の内容】
【００１２】
請求項６記載の発明は、上記請求項１記載の発明において、上記外部機器は電子番組ガイド情報を蓄積可能なテレビ受像機であり、上記制限制御部は、上記接続部によりテレビ受像機から電子番組ガイド情報及び視聴中のチャンネル情報を取得し、視聴中の番組の終了タイミングに応じて上記表示駆動部及び表示部による画像の表示動作を開始させることを特徴とする。
【手続補正５】
【補正対象書類名】明細書
【補正対象項目名】００１３
【補正方法】変更
【補正の内容】
【００１３】
請求項７記載の発明は、上記請求項１記載の発明において、上記制限制御部は、上記接続部により外部機器から入力操作情報を取得し、入力操作がない状態を検出して上記表示駆動部及び表示部による画像の表示動作を開始させることを特徴とする。
【手続補正６】
【補正対象書類名】明細書
【補正対象項目名】００１４
【補正方法】変更
【補正の内容】
【００１４】
請求項８記載の発明は、上記請求項１記載の発明において、上記外部機器はテレビ受像機及びビデオレコーダの少なくとも一方に対応したリモートコントローラであり、上記制限制御部は、上記接続部により上記リモートコントローラによる入力操作がない状態を検出して上記表示駆動部及び表示部による画像の表示動作を開始させることを特徴とする。
【手続補正７】
【補正対象書類名】明細書
【補正対象項目名】００１５
【補正方法】変更
【補正の内容】
【００１５】
請求項９記載の発明は、画像データを記憶する記憶部、画像を表示する表示部、及び上記記憶部に記憶した画像データに基づいて上記表示部に画像を表示させる表示駆動部を備えたデジタルフォトフレームでの画像表示方法であって、所定範囲内に存在する外部機器と通信接続して当該外部機器の動作情報を取得し、ユーザが上記表示部を閲覧していないと判断される動作状況である場合に、上記表示駆動部及び表示部による画像の表示動作を制限することを特徴とする。
【手続補正８】
【補正対象書類名】明細書
【補正対象項目名】００１６
【補正方法】変更
【補正の内容】
【００１６】
請求項１０記載の発明は、画像データを記憶する記憶部、画像を表示する表示部、及び上記記憶部に記憶した画像データに基づいて上記表示部に画像を表示させる表示駆動部を備えたデジタルフォトフレームが内蔵したコンピュータが実行するプログラムであって、当該プログラムを、所定範囲内に存在する外部機器と通信接続して当該外部機器の動作情報を取得する取得手段、ユーザが上記表示部を閲覧していないと判断される動作状況である場合に、上記表示駆動部及び表示部による画像の表示動作を制限する制限制御手段として機能させる。
【手続補正９】
【補正対象書類名】特許請求の範囲
【補正対象項目名】全文
【補正方法】変更
【補正の内容】
【特許請求の範囲】
【請求項１】
画像データを記憶する記憶部と、
画像を表示する表示部と、
上記記憶部に記憶した画像データに基づいて上記表示部に画像を表示させる表示駆動部と、
所定範囲内に存在する外部機器と通信接続する接続部と、
上記接続部により通信接続している上記外部機器の動作情報を取得し、ユーザが上記表示部を閲覧していないと判断される動作状況である場合に、上記表示駆動部及び表示部による画像の表示動作を制限する制限制御部と
を具備したことを特徴とするデジタルフォトフレーム。
【請求項２】
上記制限制御部は、上記接続部により通信接続している室内照明が点灯していないと判断される動作状況である場合に、上記表示駆動部及び表示部による画像の表示動作を制限することを特徴とする請求項１記載のデジタルフォトフレーム。
【請求項３】
上記制限制御部は、上記接続部により通信接続している表示デバイスが画像を表示していないと判断される動作状況である場合に、上記表示駆動部及び表示部による画像の表示動作を制限することを特徴とする請求項１記載のデジタルフォトフレーム。
【請求項４】
上記制限制御部は、外部機器の動作情報に応じて上記表示駆動部及び表示部による画像の表示動作を停止させることを特徴とする請求項１記載のデジタルフォトフレーム。 
【請求項５】
上記表示部は、液晶表示パネルと、当該液晶表示パネルの背面側から白色光を照射するバックライトとを備え、
上記制限制御部は、外部機器の動作情報に応じて上記表示部のバックライトを消灯させる
ことを特徴とする請求項１記載のデジタルフォトフレーム。
【請求項６】
上記外部機器は電子番組ガイド情報を蓄積可能なテレビ受像機であり、
上記制限制御部は、上記接続部によりテレビ受像機から電子番組ガイド情報及び視聴中のチャンネル情報を取得し、視聴中の番組の終了タイミングに応じて上記表示駆動部及び表示部による画像の表示動作を開始させる
ことを特徴とする請求項１記載のデジタルフォトフレーム。
【請求項７】
上記制限制御部は、上記接続部により外部機器から入力操作情報を取得し、入力操作がない状態を検出して上記表示駆動部及び表示部による画像の表示動作を開始させる
ことを特徴とする請求項１記載のデジタルフォトフレーム。
【請求項８】
上記外部機器はテレビ受像機及びビデオレコーダの少なくとも一方に対応したリモート
コントローラであり、
上記制限制御部は、上記接続部により上記リモートコントローラによる入力操作がない状態を検出して上記表示駆動部及び表示部による画像の表示動作を開始させる
ことを特徴とする請求項１記載のデジタルフォトフレーム。
【請求項９】
画像データを記憶する記憶部、画像を表示する表示部、及び上記記憶部に記憶した画像データに基づいて上記表示部に画像を表示させる表示駆動部を備えたデジタルフォトフレームでの画像表示方法であって、
所定範囲内に存在する外部機器と通信接続して当該外部機器の動作情報を取得し、
ユーザが上記表示部を閲覧していないと判断される動作状況である場合に、上記表示駆動部及び表示部による画像の表示動作を制限する
ことを特徴とする画像表示方法。
【請求項１０】
画像データを記憶する記憶部、画像を表示する表示部、及び上記記憶部に記憶した画像データに基づいて上記表示部に画像を表示させる表示駆動部を備えたデジタルフォトフレームが内蔵したコンピュータが実行するプログラムであって、
当該プログラムを、
所定範囲内に存在する外部機器と通信接続して当該外部機器の動作情報を取得する取得手段、
ユーザが上記表示部を閲覧していないと判断される動作状況である場合に、上記表示駆動部及び表示部による画像の表示動作を制限する制限制御手段
として機能させるためのプログラム。